(57)【特許請求の範囲】
【請求項１】
インターネットを介して接続された相手方のファクシミリ装置とファクシミリ通信を行うファクシミリ装置において、相手方のファクシミリ装置と、ＩＴＵ−Ｔ勧告Ｔ．３０の通信手順に係るメッセージを、ＨＴＴＰの通信手順におけるリクエスト・メッセージとそれに応答するレスポンス・メッセージとを用いて送受信することによりファクシミリ通信を行う通信手段とを備えたことを特徴とするファクシミリ装置。
【請求項２】
相手方のファクシミリ装置のＵＲＬを指定することによりＴＣＰ接続する接続手段をさらに備え、上記通信手段は、上記ＴＣＰ接続した後、上記ファクシミリ通信を行うことを特徴とする請求項１記載のファクシミリ装置。
【請求項３】
上記ＵＲＬは、相手方のファクシミリ装置の電話番号を含むように指定されたことを特徴とする請求項２記載のファクシミリ装置。
【請求項４】
インターネットを介して接続された相手方のファクシミリ装置とファクシミリ通信を行うファクシミリ通信方法において、相手方のファクシミリ装置と、ＩＴＵ−Ｔ勧告Ｔ．３０の通信手順に係るメッセージを、ＨＴＴＰの通信手順におけるリクエスト・メッセージとそれに応答するレスポンス・メッセージとを用いて送受信することによりファクシミリ通信を行うステップを含むことを特徴とするファクシミリ通信方法。
【請求項５】
相手方のファクシミリ装置のＵＲＬを指定することによりＴＣＰ接続するステップをさらに含み、
上記ファクシミリ通信を行うステップは、上記ＴＣＰ接続した後、上記ファクシミリ通信を行うことを特徴とする請求項４記載のファクシミリ通信方法。
【請求項６】
上記ＵＲＬは、相手方のファクシミリ装置の電話番号を含むように指定されたことを特徴とする請求項５記載のファクシミリ通信方法。
【発明の詳細な説明】
【０００１】
【発明の属する技術分野】
本発明は、インターネットを介してファクシミリ通信を行うファクシミリ装置及びファクシミリ通信方法に関する。
【０００２】
【従来の技術】
従来、電子メールを利用してインターネットを介して画像データを送受信するインターネットファクシミリ装置を用いたインターネットファクシミリ通信システムが、ＩＴＵ−Ｔ勧告Ｔ．３７において提案されている。このインターネットファクシミリ装置では、画像データを含む電子メールを送信側のメールサーバ装置（ゲートウェイ装置）及びインターネットを介して受信側のメールサーバ装置（ゲートウェイ装置）にＳＭＴＰ方式で送信し、受信側のインターネットファクシミリ装置は、ＰＯＰ３方式で受信側のメールサーバ装置にアクセスして、画像データを含む電子メールを受信して、受信された画像データを画像記録部を用いて印字する。
【０００３】
【発明が解決しようとする課題】
しかしながら、この従来例に係るＩＴＵ−Ｔ勧告Ｔ．３７に規定する通信手順を用いてファクシミリ通信を行う場合、通信手順が複雑であり、それに伴い、ソフトウエアも複雑になるという問題点があった。
【０００４】
本発明の目的は以上の問題点を解決し、従来例に比較して簡単に、インターネットを介してリアルタイムでファクシミリ通信を行うファクシミリ装置及びファクシミリ通信方法を提供することにある。
【０００５】
【課題を解決するための手段】
本発明に係るファクシミリ装置は、インターネットを介して接続された相手方のファクシミリ装置とファクシミリ通信を行うファクシミリ装置において、相手方のファクシミリ装置と、ＩＴＵ−Ｔ勧告Ｔ．３０の通信手順に係るメッセージを、ＨＴＴＰの通信手順におけるリクエスト・メッセージとそれに応答するレスポンス・メッセージとを用いて送受信することによりファクシミリ通信を行う通信手段とを備えたことを特徴とする。
【０００６】
上記ファクシミリ装置において、好ましくは、相手方のファクシミリ装置のＵＲＬを指定することによりＴＣＰ接続する接続手段をさらに備え、上記通信手段は、上記ＴＣＰ接続した後、上記ファクシミリ通信を行うことを特徴とする。ここで、上記ＵＲＬは、好ましくは、相手方のファクシミリ装置の電話番号を含むように指定されたことを特徴とする。
【０００７】
また、本発明に係るファクシミリ通信方法は、インターネットを介して接続された相手方のファクシミリ装置とファクシミリ通信を行うファクシミリ通信方法において、相手方のファクシミリ装置と、ＩＴＵ−Ｔ勧告Ｔ．３０の通信手順に係るメッセージを、ＨＴＴＰの通信手順におけるリクエスト・メッセージとそれに応答するレスポンス・メッセージとを用いて送受信することによりファクシミリ通信を行うステップを含むことを特徴とする。
【０００８】
上記ファクシミリ通信方法において、好ましくは、相手方のファクシミリ装置のＵＲＬを指定することによりＴＣＰ接続するステップをさらに含み、上記ファクシミリ通信を行うステップは、上記ＴＣＰ接続した後、上記ファクシミリ通信を行うことを特徴とする。ここで、上記ＵＲＬは、好ましくは、相手方のファクシミリ装置の電話番号を含むように指定されたことを特徴とする。
【０００９】
【発明の実施の形態】
以下、図面を参照して本発明に係る実施形態について説明する。
【００１０】
＜実施形態＞
図１は、本発明に係る実施形態である、ＩＴＵ−Ｔ勧告Ｔ．３０の通信手順に係るメッセージをＨＴＴＰ（Hypertext transfer protocol）の通信手順を用いて送受信することによりファクシミリ通信を行うインターネットファクシミリ機能を備えたファクシミリ装置２０の構成を示すブロック図である。
【００１１】
この実施形態に係るファクシミリ装置２０は、インターネット４０を介して接続された相手方のファクシミリ装置とファクシミリ通信を行うファクシミリ装置であり、主制御部１は、相手方のファクシミリ装置のインターネット４０上のＵＲＬ（Uniform Resource locator）を指定することによりＴＣＰ（Transmission Control Protocol）接続した後、相手方のファクシミリ装置と、ＩＴＵ−Ｔ勧告Ｔ．３０の通信手順に係るメッセージを、ＨＴＴＰの通信手順におけるリクエスト・メッセージとそれに応答するレスポンス・メッセージとを用いて送受信することにより、FAXoverHTTPアプリケーションプログラムによるファクシミリ通信を行う。ここで、上記ＵＲＬは、好ましくは、相手方のファクシミリ装置の電話番号を含むように指定される。
【００１２】
図１において、ファクシミリ装置２０は、従来のＧ３方式等のファクシミリ通信機能を備えるとともに、上述のFAXoverHTTPアプリケーションプログラムによるインターネットファクシミリ機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１３】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１４】
ＲＯＭ６は、当該ファクシミリ装置２０の動作に必要であって主制御部１によって実行される、上述のFAXoverHTTPアプリケーションプログラムを含む種々のソフトウェアのプログラムを予め格納する。これらのプログラムは、例えば、フロッピーディスク、ＭＯ、ＤＶＤ−ＲＡＭなどの記録媒体に記録して、必要に応じてそのドライブ装置を介してＳＲＡＭ７にロードして当該プログラムを実行してもよい。ＳＲＡＭ７は、主制御部１のワーキングエリアとして使用されてプログラムの実行時に発生する一時的なデータを記憶する。コンパクトフラッシュ８は、いわゆる画像メモリと、プログラム記録媒体としてのメモリとの役割を有する。
【００１５】
ファックスモデム１０は、公衆電話回線Ｌを介して公衆電話網５０に接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００１６】
ＬＡＮインターフェース回路１２は、当該ファクシミリ装置２０を、例えばイーサネットなどのＬＡＮ３０及びルータ装置３２を介してインターネット４０に接続するために、信号やデータの信号変換やプロトコル変換を行うインターフェース回路であり、ＬＡＮ３０にはルータ装置３２やメールサーバ装置（図示せず。）が接続される。さらに、ルータ装置３２はインターネット４０を介して相手方のファクシミリ装置（図示せず。）に接続される。当該ファクシミリ装置２０から相手方のファクシミリ装置に対してインターネット４０を介してＴＣＰ接続することにより発呼し、画像データをファクシミリ送信するときは、ＩＴＵ−ＴのＴ．３０勧告の通信手順に係るメッセージを、ＨＴＴＰのリクエスト・メッセージを用いて、ＬＡＮインターフェース１２からＬＡＮ３０、ルータ装置３２及びインターネット４０を介して相手方のファクシミリ装置に送信し、これに応答して、相手方のファクシミリ装置から送信されてくる、対応するレスポンス・メッセージを受信することにより、FAXoverHTTPアプリケーションプログラムによるファクシミリ通信を行う。なお、インターネット４０への回線接続は、専用回線などに限らず、公衆電話回線Ｌを用いたダイヤルアップ接続でもよい。
【００１７】
以上のように構成された本実施形態のファクシミリ装置２０は、通常のＧ３方式等のファクシミリ通信機能に加えて、送信側のＷＥＢブラウザと、受信側のＷＥＢサーバーとを用いる上述のインターネットファクシミリ機能を有している。通常のファクシミリ通信機能においては、画像読取部２により読み取られたドットイメージデータはファクシミリ通信の規格で定められているＭＨ，ＭＲ，ＭＭＲ等の符号化方式に従ってソフトウェアにより符号化された後、相手方のファクシミリ装置に送信される一方、逆に相手方のファクシミリ装置から受信した符号化データもソフトウェアによりイメージデータに復号化されて画像記録部３からハードコピーとして出力される。
【００１８】
すなわち、本実施形態では、ＨＴＴＰプロトコル上でＩＴＵ−ＴのＴ．３０勧告の通信手順に係るメッセージを送受信することによりトンネリングして、FAXoverHTTPアプリケーションプログラムによりリアルタイムのインターネットＦＡＸを実現する。ＨＴＴＰプロトコル上で用いるリクエスト・メッセージ及びレスポンス・メッセージの書式は次の表に示す通りである。
【００１９】
【表１】
リクエスト・メッセージ
―――――――――――――――――――――――――――――――――――
データ名称（内容）
―――――――――――――――――――――――――――――――――――
リクエスト（メソッド  ＵＲＩ  ＨＴＴＰバージョン）
オプション：一般ヘッダ（日付，時間，パス，ＩＤ番号，ＭＩＭＥタイプなど）
オプション：リクエスト・ヘッダ（ブラウザ名／バージョン，利用者名，直前に表示したページのＵＲＬ，利用可能なＭＩＭＥタイプ／圧縮形式，更新日時など）
オプション：エンティティ・ヘッダ（利用可能なメソッド，ボディーの種類，エンティティ・ボディーの大きさ，エンコード方法，バージョンなど）
＜CRLF＞（改行（１行空白））
オプション：エンティティ・ボディ（クライアントからサーバーへ送信するメッセージデータ）
―――――――――――――――――――――――――――――――――――
【００２０】
【表２】
レスポンス・メッセージ
―――――――――――――――――――――――――――――――――――
データ名称（内容）
―――――――――――――――――――――――――――――――――――
ステータス（ＨＴＴＰバージョン  状態コード  理由文）
オプション：一般ヘッダ（日付，時間，パス，ＩＤ番号，ＭＩＭＥタイプなど）
オプション：リクエスト・ヘッダ（サーバー・ソフト名，認証方式など）
オプション：エンティティ・ヘッダ（利用可能なメソッド，ボディーの種類，エンティティ・ボディーの大きさ，エンコード方法，バージョンなど）
＜CRLF＞（改行（１行空白））
オプション：エンティティ・ボディ（サーバーからクライアントへ送信するメッセージデータ）
―――――――――――――――――――――――――――――――――――
【００２１】
本実施形態においては、ＨＴＴＰプロトコルの認証機能やＳＳＬ（Secure Sockets Layer）のデータの暗号化機能を利用しＦＡＸ通信にも認証や暗号化通信機能を持たせることができる。また、ＨＴＴＰプロトコルではバイナリデータを扱えるので、ファクシミリ通信で使用するＤＩＳ信号やＤＣＳ信号などの信号メッセージデータをそのままバイナリデータとしてやり取りできる。さらに、ファクシミリ通信が終了するまでセッションを切断しないようにすることによって通信速度と安定性を向上させることができる。
【００２２】
また、ＨＴＴＰプロトコルを使用することによりＵＲＬで相手方を指定できるが、相手方のファクシミリ装置を例えば以下のように指定して呼び出す。
【数１】
http://www.abctec.co.jp/fax
【００２３】
さらに、複数のファクシミリ装置がある場合には、ＵＲＬにおいて以下のように電話番号で指定して呼び出す。
【数２】
http://www.muratec.co.jp/0756728622/fax
【００２４】
またさらに、従来のファクシミリ装置で用いるＦコード、ＮＳＳ信号、ＮＳＦ信号などを、同様にＨＴＴＰプロトコル上で送受信することにより、転送機能や、掲示板機能、ポーリング受信、各種Ｆコード機能なども行ってもよい。
【００２５】
図２は、図１のファクシミリ装置２０の構成をそれぞれ有するファクシミリ装置２０Ａからファクシミリ装置２０Ｂに対する通常送信の一例を示すシーケンス図である。以下、図２を参照して、通常送信の一例について説明する。まず、ファクシミリ装置２０Ａにおいてファクシミリ装置２０ＢのＵＲＬを指定することにより当該ＵＲＬに対応するＩＰアドレスを求めてファクシミリ装置２０ＢのＷＥＢサーバーにＴＣＰ接続により接続する。次いで、ファクシミリ装置２０Ａはファクシミリ装置２０Ｂに対して表３に示すＣＮＧ信号を含むＨＴＴＰリクエスト・メッセージを送信する。
【００２６】
【表３】
―――――――――――――――――――――――――
POST http://fax/0756728242 HTTP/1.0
User-Agent: ifax-sender
Content-Type: application/octet-stream
Content-Length: 3
＜CRLF＞
＜CNGメッセージデータ＞
―――――――――――――――――――――――――
【００２７】
これに応答して、ファクシミリ装置２０Ｂはファクシミリ装置２０Ａに対して表４に示すＮＳＦ信号、ＣＳＩ信号、ＤＩＳ信号を含むＨＴＴＰレスポンス・メッセージを返信する。
【００２８】
【表４】
―――――――――――――――――――――――――
HTTP/1.0  200 OK
Server:ifax-receiver
Content-Type: application/octet-stream
Content-Length: 35
＜CRLF＞
＜NSFフレームメッセージデータ＞
＜CSIフレームメッセージデータ＞
＜DISフレームメッセージデータ＞
―――――――――――――――――――――――――
【００２９】
次いで、ファクシミリ装置２０Ａはファクシミリ装置２０Ｂに対して表５に示すＴＳＩ信号、ＤＣＳ信号を含むＨＴＴＰリクエスト・メッセージを送信する。
【００３０】
【表５】
―――――――――――――――――――――――――
POST http://fax/0756728242 HTTP/1.0
User-Agent: ifax-sender
Content-Type: application/octet-stream
Content-Length: 30
＜CRLF＞
＜TSIフレームメッセージデータ＞
＜DCSフレームメッセージデータ＞
―――――――――――――――――――――――――
【００３１】
これに応答して、ファクシミリ装置２０Ｂはファクシミリ装置２０Ａに対して表６に示すＣＦＲ信号信号を含むＨＴＴＰレスポンス・メッセージを返信する。
【００３２】
【表６】
―――――――――――――――――――――――――
HTTP/1.0  200 OK
Server: ifax-receiver
Content-Type: application/octet-stream
Content-Length: 5
＜CRLF＞
＜CFRフレームメッセージデータ＞
―――――――――――――――――――――――――
【００３３】
次いで、ファクシミリ装置２０Ａはファクシミリ装置２０Ｂに対して表７に示すＰＩＸ信号（符号化画像データ）、ＥＯＰ信号を含むＨＴＴＰリクエスト・メッセージを送信する。
【００３４】
【表７】
―――――――――――――――――――――――――
POST http://fax/0756728242 HTTP/1.0
User-Agent: ifax-sender
Content-Type: application/octet-stream
Content-Length: 10000
＜CRLF＞
＜PIXメッセージデータ＞
＜EOPメッセージデータ＞
―――――――――――――――――――――――――
【００３５】
これに応答して、ファクシミリ装置２０Ｂはファクシミリ装置２０Ａに対して表８に示すＭＣＦ信号を含むＨＴＴＰレスポンス・メッセージを返信する。
【００３６】
【表８】
―――――――――――――――――――――――――
HTTP/1.0  200 OK
Server: ifax-receiver
Content-Type: application/octet-stream
Content-Length: 5
＜CRLF＞
＜MCFフレームメッセージデータ＞
―――――――――――――――――――――――――
【００３７】
次いで、ファクシミリ装置２０Ａはファクシミリ装置２０Ｂに対して表９に示すＤＣＮ信号を含むＨＴＴＰリクエスト・メッセージを送信する。
【００３８】
【表９】
―――――――――――――――――――――――――
POST http://fax/0756728242 HTTP/1.0
User-Agent: ifax-sender
Content-Type: application/octet-stream
Content-Length: 5
＜CRLF＞
＜DCNメッセージデータ＞
―――――――――――――――――――――――――
【００３９】
これに応答して、ファクシミリ装置２０Ｂはファクシミリ装置２０Ａに対して表１０に示すＯＫ信号を含むＨＴＴＰレスポンス・メッセージを返信する。
【００４０】
【表１０】
―――――――――――――――――――――――――
HTTP/1.0  200 OK
Server: ifax-receiver
―――――――――――――――――――――――――
【００４１】
そして、これ以降、ファクシミリ装置２０ＢのＵＲＬに対して接続しないことによりＴＣＰ接続を切断し、以上で通常送信のシーケンスを終了する。
【００４２】
図３は、図１のファクシミリ装置２０の構成をそれぞれファクシミリ装置２０Ａのファクシミリ装置２０Ｂに対するポーリング受信の一例を示すシーケンス図である。次いで、図３を参照して、ポーリング受信の一例について説明する。まず、ファクシミリ装置２０Ａにおいてファクシミリ装置２０ＢのＵＲＬを指定することにより当該ＵＲＬに対応するＩＰアドレスを求めてファクシミリ装置２０ＢのＷＥＢサーバーにＴＣＰ接続により接続する。次いで、ファクシミリ装置２０Ａはファクシミリ装置２０Ｂに対して表１１に示すＣＮＧ信号を含むＨＴＴＰリクエスト・メッセージを送信する。
【００４３】
【表１１】
―――――――――――――――――――――――――
POST http://fax/0756728242 HTTP/1.0
User-Agent: ifax-sender
Content-Type: application/octet-stream
Content-Length: 3
＜CRLF＞
＜CNGメッセージデータ＞
―――――――――――――――――――――――――
【００４４】
これに応答して、ファクシミリ装置２０Ｂはファクシミリ装置２０Ａに対して表１２に示すＮＳＦ信号、ＣＳＩ信号、ＤＩＳ信号を含むＨＴＴＰレスポンス・メッセージを返信する。
【００４５】
【表１２】
―――――――――――――――――――――――――
HTTP/1.0  200 OK
Server: ifax-receiver
Content-Type: application/octet-stream
Content-Length: 35
＜CRLF＞
＜NSFフレームメッセージデータ＞
＜CSIフレームメッセージデータ＞
＜DISフレームメッセージデータ＞
―――――――――――――――――――――――――
【００４６】
次いで、ファクシミリ装置２０Ａはファクシミリ装置２０Ｂに対して表１３に示すＣＩＧ信号、ＤＴＣ信号を含むＨＴＴＰリクエスト・メッセージを送信する。
【００４７】
【表１３】
―――――――――――――――――――――――――
POST http://fax/0756728242 HTTP/1.0
User-Agent: ifax-sender
Content-Type: application/octet-stream
Content-Length: 30
＜CRLF＞
＜CIGフレームメッセージデータ＞
＜DTCフレームメッセージデータ＞
―――――――――――――――――――――――――
【００４８】
これに応答して、ファクシミリ装置２０Ｂはファクシミリ装置２０Ａに対して表１４に示すＴＳＩ信号、ＤＣＳ信号を含むＨＴＴＰレスポンス・メッセージを返信する。
【００４９】
【表１４】
―――――――――――――――――――――――――
HTTP/1.0  200 OK
Server: ifax-receiver
Content-Type: application/octet-stream
Content-Length: 5
＜CRLF＞
＜TSIフレームメッセージデータ＞
＜DCSフレームメッセージデータ＞
―――――――――――――――――――――――――
【００５０】
次いで、ファクシミリ装置２０Ａはファクシミリ装置２０Ｂに対して表１５に示すＣＦＲ信号を含むＨＴＴＰリクエスト・メッセージを送信する。
【００５１】
【表１５】
―――――――――――――――――――――――――
POST http://fax/0756728242 HTTP/1.0
User-Agent: ifax-sender
Content-Type: application/octet-stream
Content-Length: 5
＜CRLF＞
＜CFRメッセージデータ＞
―――――――――――――――――――――――――
【００５２】
これに応答して、ファクシミリ装置２０Ｂはファクシミリ装置２０Ａに対して表１６に示すＰＩＸ信号（符号化画像データ）、ＥＯＰ信号を含むＨＴＴＰレスポンス・メッセージを返信する。
【００５３】
【表１６】
―――――――――――――――――――――――――
HTTP/1.0  200 OK
Server:ifax-receiver
Content-Type: application/octet-stream
Content-Length: 10000
＜CRLF＞
＜PIXメッセージデータ＞
＜EOPメッセージデータ＞
―――――――――――――――――――――――――
【００５４】
次いで、ファクシミリ装置２０Ａはファクシミリ装置２０Ｂに対して表１７に示すＭＣＦ信号を含むＨＴＴＰリクエスト・メッセージを送信する。
【００５５】
【表１７】
―――――――――――――――――――――――――
POST http://fax/0756728242 HTTP/1.0
User-Agent: ifax-sender
Content-Type: application/octet-stream
Content-Length: 5
＜CRLF＞
＜MCFメッセージデータ＞
―――――――――――――――――――――――――
【００５６】
これに応答して、ファクシミリ装置２０Ｂはファクシミリ装置２０Ａに対して表１８に示すＤＣＮ信号を含むＨＴＴＰレスポンス・メッセージを返信する。
【００５７】
【表１８】
―――――――――――――――――――――――――
HTTP/1.0  200 OK
Server:ifax-receiver
Content-Type: application/octet-stream
Content-Length: 5
＜CRLF＞
＜DCNフレームメッセージデータ＞
―――――――――――――――――――――――――
【００５８】
そして、これ以降、ファクシミリ装置２０ＢのＵＲＬに対して接続しないことによりＴＣＰ接続を切断し、以上でポーリング受信のシーケンスを終了する。
【００５９】
以上説明したように、本実施形態によれば、インターネット４０を介して接続された相手方のファクシミリ装置とファクシミリ通信を行うファクシミリ装置２０において、相手方のファクシミリ装置のＵＲＬを指定することによりＴＣＰ接続して発呼した後、相手方のファクシミリ装置と、ＩＴＵ−Ｔ勧告Ｔ．３０の通信手順に係るメッセージを、ＨＴＴＰの通信手順におけるリクエスト・メッセージとそれに応答するレスポンス・メッセージとを用いて送受信することによりファクシミリ通信を行う。従って、本実施形態によれば、従来例に比較して簡単に、インターネットを介してリアルタイムでファクシミリ通信を行うファクシミリ装置及びファクシミリ通信方法を提供することができる。また、ＨＴＴＰプロトコルの認証機能やＳＳＬ（Secure Sockets Layer)の暗号化機能を利用して、ファクシミリ通信において容易に、サーバ認証や暗号化通信機能を持たせることができる。
【００６０】
また、上記ＵＲＬは、相手方のファクシミリ装置の電話番号を含むように指定される。これにより、相手方の通信システムにおいて複数のファクシミリ装置が存在する場合であっても、上記ＵＲＬを容易に選択的に指定できる。
【００６１】
＜変形例＞
以上の実施形態においては、ファクシミリ装置２０の例について述べているが、本発明はこれに限らず、公衆電話網又は公衆デジタル回線網などの公衆網に接続された、例えば電話機、データ通信装置などを含む通信端末装置に適用することができる。
【００６２】
【発明の効果】
以上詳述したように本発明に係るファクシミリ装置及びファクシミリ通信方法によれば、インターネットを介して接続された相手方のファクシミリ装置とファクシミリ通信を行うファクシミリ装置において、相手方のファクシミリ装置のＵＲＬを指定することによりＴＣＰ接続した後、相手方のファクシミリ装置と、ＩＴＵ−Ｔ勧告Ｔ．３０の通信手順に係るメッセージを、ＨＴＴＰの通信手順におけるリクエスト・メッセージとそれに応答するレスポンス・メッセージとを用いて送受信することによりファクシミリ通信を行う。従って、本発明によれば、従来例に比較して簡単に、インターネットを介してリアルタイムでファクシミリ通信を行うファクシミリ装置及びファクシミリ通信方法を提供することができる。また、ＨＴＴＰプロトコルの認証機能やＳＳＬ（Secure Sockets Layer)の暗号化機能を利用して、ファクシミリ通信において容易に、サーバ認証や暗号化通信機能を持たせることができる。さらに、ＴＣＰ接続した後ファクシミリ通信を行っているので、確実に相手方のファクシミリ装置とファクシミリ通信を行うことができる。
【００６３】
また、本発明によれば、上記ＵＲＬは、相手方のファクシミリ装置の電話番号を含むように指定される。これにより、相手方の通信システムにおいて複数のファクシミリ装置が存在する場合であっても、上記ＵＲＬを容易に選択的に指定できる。
【図面の簡単な説明】
【図１】  本発明に係る実施形態である、ＩＴＵ−Ｔ勧告Ｔ．３０の通信手順に係るメッセージをＨＴＴＰの通信手順を用いて送受信することによりファクシミリ通信を行うインターネットファクシミリ機能を備えたファクシミリ装置２０の構成を示すブロック図である。
【図２】  図１のファクシミリ装置２０の構成をそれぞれ有するファクシミリ装置２０Ａからファクシミリ装置２０Ｂに対する通常送信の一例を示すシーケンス図である。
【図３】  図１のファクシミリ装置２０の構成をそれぞれファクシミリ装置２０Ａのファクシミリ装置２０Ｂに対するポーリング受信の一例を示すシーケンス図である。
【符号の説明】
１…主制御部、
２…画像読取部、
３…画像記録部、
６…ＲＯＭ、
７…ＲＡＭ、
８…コンパクトフラッシュ、
１０…ファックスモデム、
１１…ＮＣＵ、
１２…ＬＡＮインターフェース回路、
１３…バス、
２０…ファクシミリ装置、
３０…ＬＡＮ、
３２…ルータ装置、
４０…インターネット、
５０…公衆電話網、
Ｌ…公衆電話回線。
【図１】
0004186428.tif 000002
【図２】
0004186428.tif 000003
【図３】
0004186428.tif 000004